(57)【要約】      （修正有）【課題】高加速度で移動する移動体において、ＧＰＳを含む航法衛星からの衛星信号が弱い場合であっても、追尾可能な衛星信号追尾装置を提供する。【解決手段】信号レベルが低い、例えば、−１４０ｄＢｍ以下である場合は、周波数補正判定器１８から周波数を補正するように指示された時は、第２のコスタスループ演算器１５によって、その周波数にＰＬＬ周波数が置き換えられ、周波数変化量補正器１６によって、周波数変化量計測器１９から与えられる加速度状態における周波数変化量を加えて最終周波数出力が算出され、周波数補正判定器１８によって、ずれが閾値以上であると判定された場合は、第２のコスタスループ演算器１５に対して周波数変更指示が出されると共に、周波数変化量計測器１９に対して周波数変化量を更新するよう指示される。【選択図】図１
2015083935.tif 000002
【特許請求の範囲】
【請求項１】
高感度用のコヒーレント加算器と、
前記コヒーレント加算器から出力された相関値からＰＬＬ周波数を算出するコスタスループ演算器と、
前記コスタスループ演算器によって算出したＰＬＬ周波数に基づいて最終周波数出力を算出する周波数変化量補正器と、
一定期間の間、複数の周波数候補に関して相関計算を行い、真の周波数ずれ量を求める周波数ずれ測定器と、
前記周波数ずれ測定器によって求めた周波数と、前記周波数変化量補正器によって算出した周波数を比較し、ずれが閾値以上であるか否かを判定する周波数補正判定器と、
前記周波数ずれ測定器によって求めた周波数を記憶し、前回の記憶値と今回の測定値の差から周波数変化量を算出すると共に、前記周波数補正判定器から周波数変化量を更新するよう指示された場合は、前記周波数変化量補正器に与える周波数変化量を算出した値に変更する周波数変化量計測器と、
を備え、
前記コスタスループ演算器は、前記周波数補正判定器から周波数を補正するように指示された時はその周波数にＰＬＬ周波数を置き換え、
前記周波数変化量補正器は、前記周波数変化量計測器から与えられる加速度状態における周波数変化量を加えて最終周波数出力を算出し、
前記周波数補正判定器は、前記ずれが閾値以上であると判定した場合は、前記コスタスループ演算器に対して周波数変更指示を出すと共に、前記周波数変化量計測器に対して周波数変化量を更新するよう指示する、
ことを特徴とする衛星信号受信機。
【発明の詳細な説明】
【技術分野】
【０００１】
この発明は、高加速度で移動する移動体において、ＧＰＳを含む航法衛星からの衛星信号が弱い場合であっても、追尾可能な衛星信号追尾装置に関する。
【背景技術】
【０００２】
例えば、カーナビゲーションシステムのようにＧＰＳ（Ｇｌｏｂａｌ  Ｐｏｓｉｔｉｏｎｉｎｇ  Ｓｙｓｔｅｍ）を利用して、現在位置を取得するシステムの普及に伴って、屋内のように信号レベルが低い場所においても信号追尾ができる高感度の衛星信号追尾装置が求められている。
【０００３】
高感度化するためには、コヒーレント加算時間を長くする必要があり、受信機内部の周波数発振器を安定化する必要がある。そのために、併設されている無線装置の周波数など、安定した周波数の外部レファランスを利用して周波数発振器の周波数を補正する基準発振器周波数補正システムに関する技術が知られている（例えば、特許文献１参照。）。
【０００４】
また、外部に加速度計を併設して、衛星ごとの加速度を算出する無線周波数信号のトラッキング方法に関する技術が知られている（例えば、特許文献２参照。）。
【０００５】
さらに、受信したＧＰＳ信号から算出した加速度に応じてＰＬＬ（Ｐｈａｓｅ  Ｌｏｃｋｅｄ  Ｌｏｏｐ）帯域幅を増加して加速度応答をよくする技術や（例えば、特許文献３参照。）、高加速度に対応させるために高次ＰＬＬループを使う技術が知られている（例えば、特許文献４参照。）。
【０００６】
さらにまた、屋内の窓際等信号レベルが極めて弱い場合にも信号追尾するための技術が知られている（例えば、特許文献５参照。）。
【先行技術文献】
【特許文献】
【０００７】
【特許文献１】特表２００８−５２２１５７号公報
【特許文献２】特表２００７−５３５８３９号公報
【特許文献３】米国特許第５７０３５９７号明細書
【特許文献４】特表２００２−５００７７３号公報
【特許文献５】特開２００８−１１１６８４号公報
【発明の概要】
【発明が解決しようとする課題】
【０００８】
特許文献１に記載の技術は、併設されている無線装置の周波数など、安定した周波数の外部レファランスが必要であり、特許文献２に記載の技術は、外部の加速度計が必要である。
【０００９】
特許文献３に記載の技術は、信号レベルが強く正しく移動体加速度を算出できる場合には有効であるが、信号レベルが弱い場合には、ＰＬＬ帯域幅を増加することは更に雑音に追従しやすくなってしまい、追従することができなくなる。
【００１０】
特許文献４に記載の技術は、信号レベルが強く、ＰＬＬのコヒーレント加算時間が短くできる場合にしか適用できないものである。すなわち、信号レベルが弱い場合には、高次部分の方が雑音の影響を受けやすく、正しく追従することができない。
【００１１】
特許文献５に記載の技術は、１信号の場合を例示しているが、追尾回路は追尾する衛星数分（例えば１０衛星以上）含む構成となってしまう。
【００１２】
ここで、図３は、従来の衛星信号追尾装置の構成を示したものである。信号レベルが高い場合は、Ｎ１ｍｓコヒーレント加算器１０２、第１のコスタスループ演算器１０３により、周知のＰＬＬ制御で信号レベルに追尾する。ここで、Ｎ１は、具体的には例えば、１ｍｓ、４ｍｓ、５ｍｓである。
【００１３】
また、信号レベルが低い、例えば、−１４０ｄＢｍ以下である場合は、Ｎ２ｍｓコヒーレント加算器１０４、第２のコスタスループ演算器１０５により、周知のＰＬＬ制御で信号レベルに追尾する。衛星信号には、送信時刻や詳細軌道情報等のデータによる信号反転が加えられているので、コヒーレント加算時間Ｎ２としてはそのデータ反転が起こらない期間、すなわち、ＧＰＳ信号であれば２０ｍｓが選択される。
【００１４】
この場合、コヒーレント加算時間を延ばすことにより、高感度化を図ることができるが、加速度状態において急激に周波数が変化した場合には、追尾することができない。そのため、一定周期毎に、例えば、１００ｍｓ毎、５００ｍｓ毎に、追尾周波数の近傍の複数の周波数候補を比較するとともに、現時点での周波数ずれ量測定を実施して、周波数ずれが閾値以上である場合には、第２のコスタスループ演算器１０５の周波数を補正するようになっている。
【００１５】
移動体が高加速度状態を維持する場合においては、図４において追尾周波数１に示すように、周波数補正判定器１０７で周波数ずれがあると判定されて、周波数が補正されたタイミングでは、真の周波数に一致するが、その他では、真の周波数と一致しない。また、追尾周波数２に示すように、周波数ずれ量計測範囲を超過してしまうと、追尾が出来なくなってしまう。
【００１６】
そこでこの発明の目的は、前記の課題を解決し、高加速度で移動する移動体において、ＧＰＳを含む航法衛星からの衛星信号が弱い場合であっても、追尾可能な衛星信号追尾装置を提供することにある。
【課題を解決するための手段】
【００１７】
上記目的を達成するために、請求項１の発明は、高感度用のコヒーレント加算器と、前記コヒーレント加算器から出力された相関値からＰＬＬ周波数を算出するコスタスループ演算器と、前記コスタスループ演算器によって算出したＰＬＬ周波数に基づいて最終周波数出力を算出する周波数変化量補正器と、一定期間の間、複数の周波数候補に関して相関計算を行い、真の周波数ずれ量を求める周波数ずれ測定器と、前記周波数ずれ測定器によって求めた周波数と、前記周波数変化量補正器によって算出した周波数を比較し、ずれが閾値以上であるか否かを判定する周波数補正判定器と、前記周波数ずれ測定器によって求めた周波数を記憶し、前回の記憶値と今回の測定値の差から周波数変化量を算出すると共に、前記周波数補正判定器から周波数変化量を更新するよう指示された場合は、前記周波数変化量補正器に与える周波数変化量を算出した値に変更する周波数変化量計測器と、を備え、前記コスタスループ演算器は、前記周波数補正判定器から周波数を補正するように指示された時はその周波数にＰＬＬ周波数を置き換え、前記周波数変化量補正器は、前記周波数変化量計測器から与えられる加速度状態における周波数変化量を加えて最終周波数出力を算出し、前記周波数補正判定器は、前記ずれが閾値以上であると判定した場合は、前記コスタスループ演算器に対して周波数変更指示を出すと共に、前記周波数変化量計測器に対して周波数変化量を更新するよう指示する、ことを特徴とする衛星信号受信機である。
【００１８】
この発明では、コスタスループ演算器によって、周波数補正判定器から周波数を補正するように指示された時はその周波数にＰＬＬ周波数が置き換えられ、周波数変化量補正器によって、周波数変化量計測器から与えられる加速度状態における周波数変化量を加えて最終周波数出力が算出され、周波数補正判定器によって、ずれが閾値以上であると判定された場合は、コスタスループ演算器に対して周波数変更指示が出されると共に、周波数変化量計測器に対して周波数変化量を更新するよう指示される。
【発明の効果】
【００１９】
請求項１に記載の発明によれば、高加速度で移動する移動体において、ＧＰＳを含む航法衛星からの衛星信号が弱い場合であっても、追尾可能である。
【図面の簡単な説明】
【００２０】
【図１】この発明の実施の形態に係る衛星信号追尾装置を示す概略ブロック図である。
【図２】図１の衛星信号追尾装置における追尾周波数の変化と、真の周波数の変化を説明するための図である。である。
【図３】従来の衛星信号追尾装置を示す概略ブロック図である。
【図４】図３の追尾回路における追尾周波数の変化と、真の周波数の変化を説明するための図である。
【発明を実施するための形態】
【００２１】
以下、この発明を図示の実施の形態に基づいて説明する。
【００２２】
図１、図２はこの発明の実施の形態を示している。この実施の形態では、Ｇｌｏｂａｌ  Ｐｏｓｉｔｉｏｎｉｎｇ  Ｓｙｓｔｅｍ(ＧＰＳ)を含むＧｌｏｂａｌ  Ｎａｖｉｇａｔｉｏｎ  Ｓａｔｅｌｌｉｔｅ  Ｓｙｓｔｅｍ(ＧＮＳＳ)の衛星信号受信機における衛星信号追尾装置１を例として説明する。
【００２３】
衛星信号追尾装置１は、例えば、レーシングカーのような高加速度状態が多い移動体に設置され、衛星信号を追尾するためのものである。衛星信号追尾装置１は、図１に示すように、主として、１ｍｓ相関回路１０と、スイッチ１１と、Ｎ１ｍｓコヒーレント加算器１２と、第１のコスタスループ演算器１３と、Ｎ２ｍｓコヒーレント加算器１４と、第２のコスタスループ演算器１５と、周波数変化量補正器１６と、周波数ずれ測定器１７と、周波数補正判定器１８と、周波数変化量計測器１９とを備えている。
【００２４】
１ｍｓ相関回路１０は、従来のＧＰＳ信号受信機で使用されているものと同様の機能を有するものであり、１ｍｓ間のＩ加算相関値、Ｑ加算相関値を出力する。ここで、ＧＰＳ衛星からアンテナ（図示略）を介して受信した衛星信号はデジタル信号に変換されて、受信信号として１ｍｓ相関回路１０に入力される。
【００２５】
スイッチ１１は、信号レベルに応じて追尾回路を切り替えるためのスイッチであり、信号レベルが高い場合は、Ｎ１ｍｓコヒーレント加算器１２、第１のコスタスループ演算器１３によって、周知のＰＬＬ制御で信号レベルに追尾するように回路を切り替える。ここで、コヒーレント加算時間Ｎ１ｍｓは、具体的には例えば、１ｍｓ、４ｍｓ、５ｍｓと設定する。また、信号レベルが低い、例えば、−１４０ｄＢｍ以下である場合は、Ｎ２ｍｓコヒーレント加算器１４、第２のコスタスループ演算器１５によって、周知のＰＬＬ制御で信号レベルに追尾するように回路を切り替える。ここで、衛星信号には送信時刻や詳細軌道情報等のデータによる信号反転が加えられているので、コヒーレント加算時間Ｎ２は、データ反転が起こらない期間、すなわち、ＧＰＳ信号の場合には２０ｍｓと設定する。
【００２６】
Ｎ１ｍｓコヒーレント加算器１２は、１ｍｓ相関回路１０から１ｍｓ間のＩ加算相関値、Ｑ加算相関値が出力される毎に、Ｉ加算相関値、Ｑ加算相関値のコヒーレント加算を、Ｎ１ｍｓ、例えば、５ｍｓ間だけ行って、Ｉコヒーレント加算値、Ｑコヒーレント加算値を出力する。そして、Ｉコヒーレント加算値、Ｑコヒーレント加算値を出力し、その後の次回コヒーレント区間での積算のために内部加算結果をリセットする。
【００２７】
Ｎ２ｍｓコヒーレント加算器１４は、Ｎ１ｍｓコヒーレント加算器１２と同様に、１ｍｓ相関回路１０から１ｍｓ間のＩ加算相関値、Ｑ加算相関値が出力される毎に、Ｉ加算相関値、Ｑ加算相関値のコヒーレント加算を、衛星からの航法データの切替タイミング（エッジ情報）であるＮ２ｍｓ、例えば、２０ｍｓ間だけ行って、Ｉコヒーレント加算値、Ｑコヒーレント加算値を出力する。Ｎ２ｍｓコヒーレント加算器１２によって、Ｉ加算相関値、Ｑ加算相関値をコヒーレント加算することによって、信号対雑音比（Ｓ／Ｎ比）が改善される。そして、Ｉコヒーレント加算値、Ｑコヒーレント加算値を出力し、その後の次回コヒーレント区間での積算のために内部加算結果をリセットする。
【００２８】
このＮ２ｍｓコヒーレント加算器１４には、実際の周波数変化の内、低周波成分しか現れない。例えば、コヒーレント加算時間Ｎ２ｍｓを２０ｍｓとすると、周波数ずれ量が５５Ｈｚであったとしても、Ｎ２ｍｓコヒーレント加算器１４では、５０Ｈｚの整数倍の周波数を引いた周波数ずれ量、すなわち、５Ｈｚしか観測できないが、その低周波成分は正しく検出されるようになっている。
【００２９】
第２のコスタスループ演算器１５は、Ｎ２ｍｓコヒーレント加算器１４からの相関値を元に、第１のコスタスループ演算器１３と同様に高感度のＰＬＬ周波数を算出する。
【００３０】
周波数変化量補正器１６は、Ｎ２ｍｓコヒーレント加算器１４では検出できない周波数変化量を、第２のコスタスループ演算器１５からのＰＬＬ周波数に加えて最終周波数出力とする。これにより、１ｍｓ相関回路１０での周波数差は、真の周波数と周波数変化量補正器１６で補正された周波数変化量の差分である、低周波数成分のみとなり、Ｎ２ｍｓコヒーレント加算器１４で周波数ずれが正しく検出され、結果として安定して周波数追尾をすることができるようになるものである。
【００３１】
周波数ずれ測定器１７は、一定期間の間、例えば、１００ｍｓ毎、５００ｍｓ毎、複数の周波数候補に関して相関計算を行い、真の周波数ずれ量を求める。
【００３２】
周波数補正判定器１８は、周波数ずれ測定器１７から得られた周波数Ｆ１と、周波数変化量補正器１６からの周波数Ｆｏｕｔを比較し、そのずれが閾値、例えば、１０Ｈｚ以上である場合は、第２のコスタスループ演算器１５に周波数変更指示を出すと共に、後述の周波数変化量計測器１９に周波数変化量を更新するよう指示する。
【００３３】
周波数変化量計測器１９は、周波数ずれ測定器１７から得られる周波数Ｆ１を記憶して、前回の記憶値と今回の測定値との差から周波数変化量を算出する。周波数変化量計測器１９は、周波数補正判定器１８から周波数変化量の更新を指示された場合に、更新した周波数変化量を元に、コスタスループ系の制御周期分の値を求め、周波数変化量を周波数変化量補正器１６に出力する。例えば、５００ｍｓ毎に５０Ｈｚの変化が観測され、コスタスループが５ｍｓ毎に行なわれる場合は、コスタスループには０．５Ｈｚ／５ｍｓとなる値を設定する。
【００３４】
次に、このような構成の衛星信号追尾装置１による衛星信号追尾方法および作用について説明する。
【００３５】
まず、衛星信号受信装置及び衛星信号追尾装置１の電源がＯＮされ、衛星信号受信装置のアンテナで受信している衛星信号がサーチされる。そして、サーチによって衛星信号を捕捉すると、捕捉した衛星信号を追尾するために、上述の通りに周波数追尾が行われる。このとき、スイッチ１１によって、信号レベルが高い場合は、Ｎ１ｍｓコヒーレント加算器１２、第１のコスタスループ演算器１３によって、信号レベルが追尾され、信号レベルが低い、例えば、−１４０ｄＢｍ以下である場合は、Ｎ２ｍｓコヒーレント加算器１４、第２のコスタスループ演算器１５によって、信号レベルが追尾される。
【００３６】
以上のように、この衛星信号追尾装置１によれば、高加速度で移動する移動体において、ＧＰＳを含む航法衛星からの衛星信号が弱い場合であっても、追尾可能である。
【００３７】
すなわち、１ｍｓ相関回路１０での周波数差は、真の周波数と周波数変化量補正器１６で補正された周波数変化量の差分である、低周波数成分のみとなり、Ｎ２ｍｓコヒーレント加算器１４で周波数ずれが正しく検出され、結果として安定して周波数追尾をすることができるようになる。
【００３８】
また、周波数変化量計測器１９は、周波数補正判定器１８から周波数変化量の更新を指示された場合に、更新した周波数変化量を元に、コスタスループ系の制御周期分の値を求め、周波数変化量を周波数変化量補正器１６に出力するので、常に安定して周波数追尾をすることができるようになる。
【００３９】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、周波数変化量計測器１９は、周波数補正判定器１８から指示された場合のみ変更するとしたが、常時変更しても、周波数変化量の変化が閾値以上の場合に変更してもよい。
【００４０】
また、高感度用の周波数ずれ測定器１７は１系統としたが、例えば１００ｍｓ、５００ｍｓの２系統用意して、信号レベルが比較的高い時は１００ｍｓ系で周波数ずれ量計測範囲を広くして応答性をよくし、信号レベルが雑音レベルに近い場合は５００ｍｓ系で周波数推定精度を上げる等、信号レベルに応じて選択するようにしてもよい。
【００４１】
周波数変化量計測器１９では、前回からの変化から周波数変化を求めたが、信号レベルが低い場合には計測値の信頼度が低いので、信号レベルに応じたＬＰＦを追加、または信号レベルに応じた重み付け（適用する周波数変化量＝（信号レベルに対応した重み量）＊（今回の周波数変化量計測値）などを行なってもよい。
【００４２】
周波数変化量は周波数ずれ測定器１７の出力のみで求めているが、信号レベルが高く、Ｎ１ｍｓコヒーレント加算器１２、第１のコスタスループ演算器１３が使われている状態での周波数変化量を別途測定しておき、信号レベルが低くなった時に用いられる周波数変化量の初期値をその測定値としてもよい。
【００４３】
周波数補正判定器１８から第２のコスタスループ演算器１５への周波数変更指示は、周波数ずれが閾値以上と複数回継続して判定された場合としてもよい。
【符号の説明】
【００４４】
１          衛星信号追尾装置
１０        １ｍｓ相関回路
１２        Ｎ１ｍｓコヒーレント加算器
１３        第１のコスタスループ演算器
１４        Ｎ２ｍｓコヒーレント加算器
１５        第２のコスタスループ演算器
１６        周波数変化量補正器
１７        周波数ずれ測定器
１８        周波数補正判定器
１９        周波数変化量計測器
【図１】
2015083935.tif 000003
【図２】
2015083935.tif 000004
【図３】
2015083935.tif 000005
【図４】
2015083935.tif 000006